(57)【要約】【課題】レスポンス速度が制限されてしまうことを防止できる無線通信装置等を提供する。【解決手段】ＣＥ４では、通信端末１００は、レイテンシオフ値「１」を含むデータを送信する。環境情報測定装置２００は、レイテンシカウンタ値が「０」であるので、データを受信した後、データを送信する。レイテンシカウンタ値は「２」、レイテンシオフカウンタ値は「１」となる。ＣＥ５では、通信端末１００は、レイテンシオフ値「０」を含むデータを送信する。環境情報測定装置２００は、レイテンシカウンタ値及びレイテンシオフカウンタ値が「０」ではないので、通信端末１００からのデータを受信しない。レイテンシカウンタ値は「１」、レイテンシオフカウンタ値は「０」となる。ＣＥ６では、環境情報測定装置２００は、レイテンシオフカウンタ値が「０」であるので、通信端末１００からのデータを受信する。【選択図】図１３
2015180009.tif 000002
【特許請求の範囲】
【請求項１】
通信相手の無線通信装置と無線通信を行う無線通信装置であって、
前記通信相手の無線通信装置によって間欠的に送信されるデータを受信するデータ受信手段と、
前記データ受信手段によって受信された前記データに基づいて、前記通信相手の無線通信装置にデータを送信するデータ送信手段と、
前記通信相手の無線通信装置によって間欠的に送信されたデータの送信回数が、データの受信を制限する制限回数に到達するまで、前記データ受信手段によるデータの受信を制限する受信制限手段と、
前記データ受信手段によって受信された前記データに含まれる特定情報が示す、前記制限回数よりも少ない特定回数を設定する設定手段と、
前記通信相手の無線通信装置によって間欠的に送信されたデータの送信回数が、前記特定回数に到達した場合、前記受信制限手段による制限を解除する制限解除手段と、
を備えることを特徴とする無線通信装置。
【請求項２】
前記制限解除手段によって前記受信制限手段による制限が解除された後に、前記データ受信手段によって受信されたデータに基づいて、前記通信相手の無線通信装置にデータを送信するためのデータ送信条件を満たすか否かを判定する送信条件判定手段をさらに備え、
前記データ送信手段は、前記送信条件判定手段によって前記データ送信条件を満たすと判定された場合、前記通信相手の無線通信装置にデータを送信する、
ことを特徴とする請求項１に記載の無線通信装置。
【請求項３】
通信相手の無線通信装置と無線通信を行う無線通信装置であって、
制限回数よりも少ない特定回数を示す特定情報を含むデータを前記通信相手の無線通信装置に間欠的に送信するデータ送信手段を備え、
前記制限回数は、前記通信相手の無線通信装置が、前記データ送信手段によって間欠的に送信されたデータの受信を制限する回数であり、
前記通信相手の無線通信装置は、前記データ送信手段によって間欠的に送信されたデータの受信を制限した回数が、受信した前記データに含まれる特定情報が示す特定回数に到達した場合、前記データの受信の制限を解除する、
ことを特徴とする無線通信装置。
【請求項４】
前記データ送信手段によって前記データが間欠的に送信されているときに、前記特定回数を変更する変更条件を満たすか否かを判定する変更条件判定手段と、
前記変更条件判定手段によって前記変更条件を満たすと判定された場合、前記特定情報を、所定数変更した後の特定回数を示す特定情報に変更する変更手段と、をさらに備え、
前記データ送信手段は、前記変更手段によって変更された前記特定情報を含むデータを送信する、
ことを特徴とする請求項３に記載の無線通信装置。
【請求項５】
前記変更条件判定手段は、
前記変更条件として前記特定回数を減らす第１変更条件を満たすか否かを判定する第１変更条件判定手段と、
前記変更条件として前記特定回数を増やす第２変更条件を満たすか否かを判定する第２変更条件判定手段と、を含み、
前記変更手段は、前記第１変更条件判定手段によって前記第１変更条件を満たすと判定された場合、前記特定情報を、所定数減らした後の特定回数を示す特定情報に変更し、前記第２変更条件判定手段によって前記第２変更条件を満たすと判定された場合、前記特定情報を、所定数増やした後の特定回数を示す特定情報に変更する、
ことを特徴とする請求項４に記載の無線通信装置。
【請求項６】
通信相手の無線通信装置と無線通信を行う無線通信装置であって、
前記通信相手の無線通信装置との送受信の不必要を設定する送受信不必要設定手段と、
前記通信相手の無線通信装置から、送受信の不必要時における受信を制御する情報を受信する受信制御情報受信手段と、
前記送受信の不必要時における受信を制御する情報に基づいて、前記通信相手の無線通信装置からのデータの受信を制御する受信制御手段と、
を備えることを特徴とする無線通信装置。
【請求項７】
通信相手の無線通信装置と無線通信を行う無線通信装置であって、
前記通信相手の無線通信装置に対して送受信の不必要を指定する送受信不必要指定手段と、
前記通信相手の無線通信装置に、送受信の不必要時における受信を制御する情報を送信する受信制御情報送信手段と、
を備えることを特徴とする無線通信装置。
【請求項８】
第１の無線通信装置と、当該第１の無線通信装置と無線通信を行う第２の無線通信装置と、から構成される無線通信システムであって、
前記第１の無線通信装置は、
前記第２の無線通信装置によって間欠的に送信されるデータを受信するデータ受信手段と、
前記データ受信手段によって受信された前記データに基づいて、前記第２の無線通信装置にデータを送信する第１のデータ送信手段と、
前記第２の無線通信装置によって間欠的に送信されたデータの送信回数が、データの受信を制限する制限回数に到達するまで、前記データ受信手段によるデータの受信を制限する受信制限手段と、
前記データ受信手段によって受信された前記データに含まれる特定情報が示す、前記制限回数よりも少ない特定回数を設定する設定手段と、
前記第２の無線通信装置によって間欠的に送信されたデータの送信回数が、前記特定回数に到達した場合、前記受信制限手段による制限を解除する制限解除手段と、を備え
前記第２の無線通信装置は、
前記特定情報を含むデータを前記第１の無線通信装置に間欠的に送信する第２のデータ送信手段を備える、
ことを特徴とする無線通信システム。
【請求項９】
通信相手の無線通信装置と無線通信を行う無線通信方法であって、
前記通信相手の無線通信装置によって間欠的に送信されるデータを受信するデータ受信ステップと、
前記データ受信ステップで受信された前記データに基づいて、前記通信相手の無線通信装置にデータを送信するデータ送信ステップと、
前記通信相手の無線通信装置によって間欠的に送信されたデータの送信回数が、データの受信を制限する制限回数に到達するまで、前記データ受信ステップでのデータの受信を制限する受信制限ステップと、
前記データ受信ステップで受信された前記データに含まれる特定情報が示す、前記制限回数よりも少ない特定回数を設定する設定ステップと、
前記通信相手の無線通信装置によって間欠的に送信されたデータの送信回数が、前記特定回数に到達した場合、前記受信制限ステップでの制限を解除する制限解除ステップと、
を含むことを特徴とする無線通信方法。
【請求項１０】
通信相手の無線通信装置と無線通信を行う無線通信方法であって、
制限回数よりも少ない特定回数を示す特定情報を含むデータを前記通信相手の無線通信装置に間欠的に送信するデータ送信ステップを含み、
前記制限回数は、前記通信相手の無線通信装置が、前記データ送信ステップで間欠的に送信されたデータの受信を制限する回数であり、
前記通信相手の無線通信装置は、前記データ送信ステップで間欠的に送信されたデータの受信を制限した回数が、受信した前記データに含まれる特定情報が示す特定回数に到達した場合、前記データの受信の制限を解除する、
ことを特徴とする無線通信方法。
【請求項１１】
通信相手の無線通信装置と無線通信を行う無線通信方法であって、
前記通信相手の無線通信装置との送受信の不必要を設定する送受信不必要設定ステップと、
前記通信相手の無線通信装置から、送受信の不必要時における受信を制御する情報を受信する受信制御情報受信ステップと、
前記送受信の不必要時における受信を制御する情報に基づいて、前記通信相手の無線通信装置からのデータの受信を制御する受信制御ステップと、
を含むことを特徴とする無線通信方法。
【請求項１２】
通信相手の無線通信装置と無線通信を行う無線通信方法であって、
前記通信相手の無線通信装置に対して送受信の不必要を指定する送受信不必要指定ステップと、
前記通信相手の無線通信装置に、送受信の不必要時における受信を制御する情報を送信する受信制御情報送信ステップと、
を含むことを特徴とする無線通信方法。
【請求項１３】
通信相手の無線通信装置と無線通信を行うコンピュータを、
前記通信相手の無線通信装置によって間欠的に送信されるデータを受信するデータ受信手段、
前記データ受信手段によって受信された前記データに基づいて、前記通信相手の無線通信装置にデータを送信するデータ送信手段、
前記通信相手の無線通信装置によって間欠的に送信されたデータの送信回数が、データの受信を制限する制限回数に到達するまで、前記データ受信手段によるデータの受信を制限する受信制限手段、
前記データ受信手段によって受信された前記データに含まれる特定情報が示す、前記制限回数よりも少ない特定回数を設定する設定手段、
前記通信相手の無線通信装置によって間欠的に送信されたデータの送信回数が、前記特定回数に到達した場合、前記受信制限手段による制限を解除する制限解除手段、
として機能させることを特徴とするプログラム。
【請求項１４】
通信相手の無線通信装置と無線通信を行うコンピュータを、
制限回数よりも少ない特定回数を示す特定情報を含むデータを前記通信相手の無線通信装置に間欠的に送信するデータ送信手段、として機能させ、
前記制限回数は、前記通信相手の無線通信装置が、前記データ送信手段によって間欠的に送信されたデータの受信を制限する回数であり、
前記通信相手の無線通信装置は、前記データ送信手段によって間欠的に送信されたデータの受信を制限した回数が、受信した前記データに含まれる特定情報が示す特定回数に到達した場合、前記データの受信の制限を解除する、
ことを特徴とするプログラム。
【請求項１５】
通信相手の無線通信装置と無線通信を行うコンピュータを、
前記通信相手の無線通信装置との送受信の不必要を設定する送受信不必要設定手段、
前記通信相手の無線通信装置から、送受信の不必要時における受信を制御する情報を受信する受信制御情報受信手段、
前記送受信の不必要時における受信を制御する情報に基づいて、前記通信相手の無線通信装置からのデータの受信を制御する受信制御手段、
として機能させることを特徴とするプログラム。
【請求項１６】
通信相手の無線通信装置と無線通信を行うコンピュータを、
前記通信相手の無線通信装置に対して送受信の不必要を指定する送受信不必要指定手段、
前記通信相手の無線通信装置に、送受信の不必要時における受信を制御する情報を送信する受信制御情報送信手段、
として機能させることを特徴とするプログラム。
【請求項１７】
マスター装置と無線通信を行うスレーブ装置であって、
前記マスター装置によって間欠的に送信されるデータを受信するデータ受信手段と、
前記データ受信手段によって受信された前記データに基づいて、前記マスター装置にデータを送信するデータ送信手段と、
前記マスター装置によって間欠的に送信されたデータの送信回数が、データの受信を制限する制限回数に到達するまで、前記データ受信手段によるデータの受信を制限する受信制限手段と、
前記データ受信手段によって受信された前記データに含まれる特定情報が示す、前記制限回数よりも少ない特定回数を設定する設定手段と、
前記マスター装置によって間欠的に送信されたデータの送信回数が、前記特定回数に到達した場合、前記受信制限手段による制限を解除する制限解除手段と、
を備えることを特徴とするスレーブ装置。
【請求項１８】
マスター装置と無線通信を行うスレーブ装置であって、
前記マスター装置とのレイテンシを設定するレイテンシ設定手段と、
前記マスター装置から、レイテンシ時における受信を制御する情報を受信する受信制御情報受信手段と、
前記レイテンシ時における受信を制御する情報に基づいて、前記マスター装置からのデータの受信を制御する受信制御手段と、
を備えることを特徴とするスレーブ装置。
【請求項１９】
スレーブ装置と無線通信を行うマスター装置であって、
制限回数よりも少ない特定回数を示す特定情報を含むデータを前記スレーブ装置に間欠的に送信するデータ送信手段を備え、
前記制限回数は、前記スレーブ装置が、前記データ送信手段によって間欠的に送信されたデータの受信を制限する回数であり、
前記スレーブ装置は、前記データ送信手段によって間欠的に送信されたデータの受信を制限した回数が、受信した前記データに含まれる特定情報が示す特定回数に到達した場合、前記データの受信の制限を解除する、
ことを特徴とするマスター装置。
【請求項２０】
スレーブ装置と無線通信を行うマスター装置であって、
前記スレーブ装置に対してレイテンシを指定するレイテンシ指定手段と、
前記スレーブ装置に、レイテンシ時における受信を制御する情報を送信する受信制御情報送信手段と、
を備えることを特徴とするマスター装置。
【発明の詳細な説明】
【技術分野】
【０００１】
本発明は、無線通信装置、無線通信システム、無線通信方法、プログラム、スレーブ装置、及びマスター装置に関する。
【背景技術】
【０００２】
近距離無線通信規格のBluetooth（登録商標） low energyに基づいて無線通信を行う無線通信装置であるマスター装置は、通信相手となる無線通信装置であるスレーブ装置が送信するアドバタイズメントと呼ばれる識別情報を受信し、当該スレーブ装置に対して接続要求信号を送信して接続を確立してから、当該スレーブ装置との間でデータの送受信を行う（例えば、特許文献１参照）。
【０００３】
このような無線通信装置、特にスレーブ装置には、電源としてコイン電池やボタン電池といった容量の小さい電池が使用される。このため、マスター装置とスレーブ装置との間で接続が確立した後、それぞれの送受信部を動作状態と停止状態とに交互に切り替えることにより一定期間の間隔で間欠的にデータの送受信を行い、消費電力を抑えることが行われている。さらに、スレーブ装置は、マスター装置から間欠的に送られてくるデータを、マスター装置から指定されたレイテンシ回数の範囲内で連続して受信しないスレーブレイテンシ（Slave Latency）動作と呼ばれる制御を行うことにより、消費電力を抑えることが可能である。スレーブレイテンシ動作を行う場合の実際の受信制限回数は、スレーブ装置によって決定される。
【先行技術文献】
【特許文献】
【０００４】
【特許文献１】特開２０１２−１４２８７７号公報
【発明の概要】
【発明が解決しようとする課題】
【０００５】
しかしながら、従来の技術では、スレーブレイテンシ動作を行う場合に、マスター装置からのデータを受信するか否かはスレーブ装置が決定しているので、スレーブレイテンシ動作が行われているときにマスター装置において高速なレスポンスを必要とする場合であっても、スレーブ装置が決定した受信するか否かによりスレーブ装置のデータ送信の頻度が決まってしまい、マスター装置でのレスポンス速度が制限されてしまうという問題があった。
【０００６】
本発明はかかる問題点に鑑みてなされたものであって、レスポンス速度が制限されてしまうことを防止できる無線通信装置、無線通信システム、無線通信方法、プログラム、スレーブ装置、及びマスター装置を提供することを目的とする。
【課題を解決するための手段】
【０００７】
上記目的を達成するため、本発明の第１の観点に係る無線通信装置は、
通信相手の無線通信装置と無線通信を行う無線通信装置であって、
前記通信相手の無線通信装置によって間欠的に送信されるデータを受信するデータ受信手段と、
前記データ受信手段によって受信された前記データに基づいて、前記通信相手の無線通信装置にデータを送信するデータ送信手段と、
前記通信相手の無線通信装置によって間欠的に送信されたデータの送信回数が、データの受信を制限する制限回数に到達するまで、前記データ受信手段によるデータの受信を制限する受信制限手段と、
前記データ受信手段によって受信された前記データに含まれる特定情報が示す、前記制限回数よりも少ない特定回数を設定する設定手段と、
前記通信相手の無線通信装置によって間欠的に送信されたデータの送信回数が、前記特定回数に到達した場合、前記受信制限手段による制限を解除する制限解除手段と、
を備えることを特徴とする。
【０００８】
また、上記目的を達成するため、本発明の第２の観点に係る無線通信装置は、
通信相手の無線通信装置と無線通信を行う無線通信装置であって、
制限回数よりも少ない特定回数を示す特定情報を含むデータを前記通信相手の無線通信装置に間欠的に送信するデータ送信手段を備え、
前記制限回数は、前記通信相手の無線通信装置が、前記データ送信手段によって間欠的に送信されたデータの受信を制限する回数であり、
前記通信相手の無線通信装置は、前記データ送信手段によって間欠的に送信されたデータの受信を制限した回数が、受信した前記データに含まれる特定情報が示す特定回数に到達した場合、前記データの受信の制限を解除する、
ことを特徴とする。
【０００９】
また、上記目的を達成するため、本発明の第３の観点に係る無線通信装置は、
通信相手の無線通信装置と無線通信を行う無線通信装置であって、
前記通信相手の無線通信装置との送受信の不必要を設定する送受信不必要設定手段と、
前記通信相手の無線通信装置から、送受信の不必要時における受信を制御する情報を受信する受信制御情報受信手段と、
前記送受信の不必要時における受信を制御する情報に基づいて、前記通信相手の無線通信装置からのデータの受信を制御する受信制御手段と、
を備えることを特徴とする。
【００１０】
また、上記目的を達成するため、本発明の第４の観点に係る無線通信装置は、
通信相手の無線通信装置と無線通信を行う無線通信装置であって、
前記通信相手の無線通信装置に対して送受信の不必要を指定する送受信不必要指定手段と、
前記通信相手の無線通信装置に、送受信の不必要時における受信を制御する情報を送信する受信制御情報送信手段と、
を備えることを特徴とする。
【００１１】
また、上記目的を達成するため、本発明の第５の観点に係るスレーブ装置は、
マスター装置と無線通信を行うスレーブ装置であって、
前記マスター装置によって間欠的に送信されるデータを受信するデータ受信手段と、
前記データ受信手段によって受信された前記データに基づいて、前記マスター装置にデータを送信するデータ送信手段と、
前記マスター装置によって間欠的に送信されたデータの送信回数が、データの受信を制限する制限回数に到達するまで、前記データ受信手段によるデータの受信を制限する受信制限手段と、
前記データ受信手段によって受信された前記データに含まれる特定情報が示す、前記制限回数よりも少ない特定回数を設定する設定手段と、
前記マスター装置によって間欠的に送信されたデータの送信回数が、前記特定回数に到達した場合、前記受信制限手段による制限を解除する制限解除手段と、
を備えることを特徴とする。
【００１２】
また、上記目的を達成するため、本発明の第６の観点に係るスレーブ装置は、
マスター装置と無線通信を行うスレーブ装置であって、
前記マスター装置とのレイテンシを設定するレイテンシ設定手段と、
前記マスター装置から、レイテンシ時における受信を制御する情報を受信する受信制御情報受信手段と、
前記レイテンシ時における受信を制御する情報に基づいて、前記マスター装置からのデータの受信を制御する受信制御手段と、
を備えることを特徴とする。
【００１３】
また、上記目的を達成するため、本発明の第７の観点に係るマスター装置は、
スレーブ装置と無線通信を行うマスター装置であって、
制限回数よりも少ない特定回数を示す特定情報を含むデータを前記スレーブ装置に間欠的に送信するデータ送信手段を備え、
前記制限回数は、前記スレーブ装置が、前記データ送信手段によって間欠的に送信されたデータの受信を制限する回数であり、
前記スレーブ装置は、前記データ送信手段によって間欠的に送信されたデータの受信を制限した回数が、受信した前記データに含まれる特定情報が示す特定回数に到達した場合、前記データの受信の制限を解除する、
ことを特徴とする。
【００１４】
また、上記目的を達成するため、本発明の第８の観点に係るマスター装置は、
スレーブ装置と無線通信を行うマスター装置であって、
前記スレーブ装置に対してレイテンシを指定するレイテンシ指定手段と、
前記スレーブ装置に、レイテンシ時における受信を制御する情報を送信する受信制御情報送信手段と、
を備えることを特徴とする。
【発明の効果】
【００１５】
本発明によれば、レスポンス速度が制限されてしまうことを防止できる。
【図面の簡単な説明】
【００１６】
【図１】本発明の実施の形態に係る無線通信システムの構成例を示す図である。
【図２】本発明の実施の形態に係る無線通信装置の一例として通信端末の構成例を示す図である。
【図３】本発明の実施の形態に係る無線通信装置の一例として環境情報測定装置の構成例を示す図である。
【図４】図１の無線通信システムの動作を説明するための図である。
【図５】図１の無線通信システムのデータ送受信の動作を示す図である。
【図６】図１の無線通信システムのデータ送受信の動作を示す図である。
【図７】図２の通信端末が実行する通信処理の一例を示すフローチャートである。
【図８】データのパケット構造及びレイテンシオフ値の設定例を示す図である。
【図９】図２の通信端末が実行するデータ送受信処理の一例を示すフローチャートである。
【図１０】図３の環境情報測定装置が実行する通信処理の一例を示すフローチャートである。
【図１１】各バッファの設定例を示す図である。
【図１２】図３の環境情報測定装置が実行するデータ送受信処理の一例を示すフローチャートである。
【図１３】図１の無線通信システムのデータ送受信のタイミングの一例を示す図である。
【図１４】環境情報測定装置の送受信回路のアクティブ期間を説明するための図である。
【発明を実施するための形態】
【００１７】
以下、本発明の実施の形態について図面を参照して説明する。
【００１８】
図１は、本発明の実施の形態に係る無線通信システムの構成例を示す図である。
【００１９】
図１に示す構成例において、無線通信システム１は、無線通信装置としての通信端末１００（第２の無線通信装置）と、通信端末１００とは異なる無線通信装置としての環境情報測定装置２００（第１の無線通信装置）とを備えている。通信端末１００と環境情報測定装置２００とは、Bluetooth（登録商標） low energy（以下、ＢＬＥという。）に基づいて、互いに無線通信を行う。ＢＬＥとは、Bluetooth（登録商標）と呼ばれる近距離無線通信規格において、低消費電力を目的として策定された規格（モード）である。ＢＬＥに基づく無線通信を行う無線通信装置には、マスター装置（「セントラル」ともいう。）と称する無線通信装置と、スレーブ装置（「ペリフェラル」ともいう。）と称する無線通信装置とがある。マスター装置は、スレーブ装置から提供されたサービス（例えば、測定されたデータなど）を利用する装置である。また、スレーブ装置は、マスター装置にサービス（例えば、測定したデータなど）を提供する装置である。本実施の形態では、通信端末１００がマスター装置に該当し、環境情報測定装置２００がスレーブ装置に該当する。
【００２０】
通信端末１００は、携帯電話機、スマートフォン、タブレット型パーソナルコンピュータ、ノート型パーソナルコンピュータ等の持ち運びが可能であって、ＢＬＥに基づく無線通信機能を有する端末である。本実施の形態では、一例として、通信端末１００はスマートフォンから構成される。通信端末１００は、温度、相対湿度及びＷＢＧＴ（Wet Bulb Globe Temperature）値などのデータを環境情報測定装置２００から受信し、受信したデータに基づいて、後述する表示部１２８に環境情報として各種情報を表示したり、後述するスピーカ１２４からアラーム等の音声を鳴らしたりする。なお、ＷＢＧＴ値とは、例えば労働環境における作業者が熱中症になりやすい度合いを示す指標値である。
【００２１】
環境情報測定装置２００は、温度、相対湿度及びＷＢＧＴ値を測定したい場所、例えば、工場や建設現場、工事現場、体育館、運動場などに設置される。環境情報測定装置２００は、設置場所の温度と相対湿度を測定し、測定値からＷＢＧＴ値を算出する。そして、環境情報測定装置２００は、温度、相対湿度及びＷＢＧＴ値などのデータを通信端末１００に送信する。
【００２２】
次に、本実施の形態に係る無線通信システム１のハードウェア構成などについて説明する。
【００２３】
図２は、本実施の形態に係る通信端末１００の構成例を概略的に示すブロック図である。図２に示すように、通信端末１００は、制御部１０２、ＲＯＭ（Read Only Memory）１０４、ＲＡＭ（Random Access Memory）１０６、無線通信動作部１１０、アンテナ１１２、スピーカ１２４、ドライバ１２６、表示部１２８及びタッチパネル１３０を備える。
【００２４】
制御部１０２は、例えばＣＰＵ（Central Processing Unit）によって構成される。制御部１０２は、ＲＯＭ１０４に記憶されたプログラム（例えば、後述する図４などに示す通信端末１００の動作を実現するためのプログラム）に従ってソフトウェア処理を実行することにより、通信端末１００が具備する各種機能を制御する。
【００２５】
ＲＯＭ１０４は、フラッシュメモリ等の不揮発性メモリから構成され、上述したように制御部１０２が各種機能を制御するためのプログラムやデータを記憶する。ＲＡＭ１０６は、揮発性メモリから構成され、制御部１０２が各種処理を行うためにデータを一時的に記憶するための作業領域として用いられる。
【００２６】
無線通信動作部１１０は、例えば無線周波数（ＲＦ：Radio Frequency）回路やベースバンド（ＢＢ：Baseband）回路等を用いて構成され、送信回路及び受信回路を備える。無線通信動作部１１０の送信回路及び受信回路は、制御部１０２によって動作状態（アクティブ）と停止状態（インアクティブ）とに切り替えられる。無線通信動作部１１０は、アンテナ１１２を介して、ＢＬＥに基づく無線信号の送信動作及び受信動作を行う。
【００２７】
スピーカ１２４は、制御部１０２からの音声データに基づいて、アラーム等の音声を出力する。ドライバ１２６は、制御部１０２から出力された画像データに基づく画像信号を表示部１２８へ出力する。表示部１２８は、例えば、ＬＣＤ（Liquid Crystal Display）、ＥＬ（Electroluminescence）ディスプレイ等によって構成される。表示部１２８は、ドライバ１２６から出力された画像信号に従って画像（例えば、図１に示すようなＷＢＧＴ値や「警戒」などといった画像等）を表示する。
【００２８】
タッチパネル１３０は、表示部１２８の上面に配置され、ユーザの操作内容を入力するために用いられるインタフェースである。タッチパネル１３０は、例えば図示しない透明電極を内蔵し、ユーザの指等が接触した場合に、電圧が変化した位置を接触位置として検出し、その接触位置の情報を入力指示として制御部１０２へ出力する。
【００２９】
次に、通信端末１００の制御部１０２の主な機能的構成について説明する。図２に示すように、制御部１０２は、データ送信部１５１（第２のデータ送信部）、第１変更条件判定部１５２、第２変更条件判定部１５３及び変更部１５４として機能する。
【００３０】
データ送信部１５１は、通信端末１００と環境情報測定装置２００との間で接続が確立された後、データを送信するタイミングであるコネクション・イベントのタイミングで、無線通信動作部１１０の送信回路を動作状態にして、環境情報測定装置２００に、例えば１回といったレイテンシオフ回数（特定回数）を示すレイテンシオフ値（特定情報）を含むデータを送信する。レイテンシオフ回数は、後述するレイテンシ回数以下の回数である。データ送信部１５１は、データを送信した後、無線通信動作部１１０の送信回路を停止状態にする。そして、データ送信部１５１は、データを送信しない期間であるコネクション・イベント・インターバルの期間が経過した後のコネクション・イベントのタイミングで、再び上記と同様にしてデータを送信する。データ送信部１５１は、コネクション・イベント・インターバルの期間の間隔で間欠的に上記データ送信を繰り返し実行する。
【００３１】
第１変更条件判定部１５２は、レイテンシオフ回数を減らす第１変更条件を満たすか否かを判定する。この実施の形態では、第１変更条件を、例えばユーザのタッチパネル１３０への操作を検出してから、例えば、１分といった第１期間以内であること、としている。なお、第１変更条件は上記条件に限定されない。例えば、第１変更条件を、例えばユーザのタッチパネル１３０への操作に基づいて、高速レスポンス必要を示す表示項目が選択されたことなどとしてもよい。
【００３２】
第２変更条件判定部１５３は、レイテンシオフ回数を増やす第２変更条件を満たすか否かを判定する。この実施の形態では、第２変更条件を、例えばユーザのタッチパネル１３０への操作を検出してから、例えば、３分といった第２期間が経過したこと、としている。なお、第２変更条件は上記条件に限定されない。例えば、第２変更条件を、例えばユーザのタッチパネル１３０への操作に基づいて、高速レスポンス不要を示す表示項目が選択されたことなどとしてもよい。
【００３３】
変更部１５４は、データ送信部１５１によってデータが間欠的に送信されているときに、第１変更条件判定部１５２よって第１変更条件を満たすと判定された場合、例えば、１回といったレイテンシオフ回数を示すレイテンシオフ値を、０回といったレイテンシオフ回数を示すレイテンシオフ値へ変更する。なお、レイテンシオフ回数は、例えば、２回から１回へ、２回から０回へ変更されてもよい。また、変更部１５４は、データ送信部１５１によってデータが間欠的に送信されているときに、第２変更条件判定部１５３よって第２変更条件を満たすと判定された場合、例えば、０回といったレイテンシオフ回数を示すレイテンシオフ値を、１回といったレイテンシオフ回数を示すレイテンシオフ値へ変更する。なお、レイテンシオフ回数は、例えば、１回から２回へ、０回から２回へ変更されてもよい。変更部１５４によってレイテンシオフ値が変更された場合、変更された後のレイテンシオフ値を含むデータが、データ送信部１５１によって環境情報測定装置２００に間欠的に送信されることになる。
【００３４】
図３は、本実施の形態に係る環境情報測定装置２００の構成例を概略的に示すブロック図である。図３に示すように、環境情報測定装置２００は、制御部２０２、ＲＯＭ２０４、ＲＡＭ２０６、無線通信動作部２１０、アンテナ２１２、操作部２２０、ドライバ２２６、表示部２２８、センサ部２３０を備える。
【００３５】
制御部２０２は、例えばＣＰＵによって構成される。制御部２０２は、ＲＯＭ２０４に記憶されたプログラム（例えば、後述する図４などに示す環境情報測定装置２００の動作を実現するためのプログラム）に従ってソフトウェア処理を実行することにより、環境情報測定装置２００が具備する各種機能を制御する。
【００３６】
ＲＯＭ２０４は、フラッシュメモリ等の不揮発性メモリから構成され、上述したように制御部２０２が各種機能を制御するためのプログラムやデータを記憶する。ＲＡＭ２０６は、揮発性メモリから構成され、制御部２０２が各種処理を行うためにデータを一時的に記憶するための作業領域として用いられる。
【００３７】
無線通信動作部２１０は、例えば無線周波数（ＲＦ）回路やベースバンド（ＢＢ）回路等を用いて構成され、送信回路及び受信回路を備える。無線通信動作部２１０の送信回路及び受信回路は、制御部２０２によって動作状態と停止状態とに切り替えられる。無線通信動作部２１０は、アンテナ２１２を介して、ＢＬＥに基づく無線信号の送信動作及び受信動作を行う。
【００３８】
操作部２２０は、例えばスイッチ等から構成され、電源のＯＮ・ＯＦＦなどのユーザの操作内容を入力するために用いられる。
【００３９】
ドライバ２２６は、制御部２０２から出力された画像データに基づく画像信号を表示部２２８へ出力する。表示部２２８は、例えば、ＬＣＤ、ＥＬディスプレイ等によって構成される。表示部２２８は、ドライバ２２６から出力された画像信号に従って画像（例えば、図１に示すような温度や相対湿度、ＷＢＧＴ値などの数値を表す画像等）を表示する。
【００４０】
センサ部２３０は、例えば、測温抵抗体や熱電対等を用いて構成される温度センサと、例えば、高分子膜を用いて構成される湿度センサと、を備える。温度センサは、環境情報測定装置２００の周辺温度、即ち、環境情報測定装置２００が設置された場所の温度を測定し、測定結果を示すデータを制御部２０２に送る。湿度センサは、環境情報測定装置２００の周辺の相対湿度、即ち、環境情報測定装置２００が設置された場所の相対湿度を測定し、測定結果を示すデータを制御部２０２に送る。
【００４１】
次に、環境情報測定装置２００の制御部２０２の主な機能的構成について説明する。図３に示すように、制御部２０２は、データ受信部２５１、データ送信部２５２（第１のデータ送信部）、受信制限部２５３、設定部２５４、制限解除部２５５及び送信条件判定部２５６として機能する。
【００４２】
データ受信部２５１は、通信端末１００と環境情報測定装置２００との間で接続が確立した後、通信端末１００がデータを送信するタイミングであるコネクション・イベントのタイミングに対応して、無線通信動作部２１０の受信回路を動作状態にして、通信端末１００によって送信されたデータを受信する。データ受信部２５１は、データを受信した後、無線通信動作部２１０の受信回路を停止状態にする。そして、データ受信部２５１は、通信端末１００が次にデータを送信するタイミングであるコネクション・イベントのタイミングに対応して、再び上記と同様にしてデータを受信する。データ受信部２５１は、コネクション・イベント・インターバルの期間の間隔で間欠的に上記データの受信を繰り返し実行する。なお、データ受信部２５１は、後述するように受信制限部２５３によってデータの受信が制限されている間、データを受信できないようになっている。
【００４３】
データ送信部２５２は、データ受信部２５１によってデータが受信された後、無線通信動作部２１０の送信回路を動作状態にして、通信端末１００にデータを送信する。データ送信部２５２は、データを送信した後、無線通信動作部２１０の送信回路を停止状態にする。なお、データ送信部２５２は、後述するように送信条件判定部２５６によってデータの送信条件を満たさないと判定された場合、通信端末１００にデータを送信できないようになっている。
【００４４】
受信制限部２５３は、通信端末１００によって間欠的に送信されたデータの送信回数が、制御部２０２によって設定されたレイテンシ回数（制限回数）に到達するまで、データ受信部２５１によるデータの受信を制限する。レイテンシ回数は、通信端末１００と環境情報測定装置２００との接続の際に通信端末１００が送信した接続要求信号に含まれるレイテンシ値が示すレイテンシ回数（例えば２回）の範囲内で、制御部２０２が決定する回数であり、制御部２０２が、通信端末１００によって間欠的に送信されたデータの受信を制限する回数である。レイテンシ回数は、制御部２０２によって、例えば、ＲＡＭ２０６の所定領域に設けられたレイテンシカウンタにレイテンシカウンタ値が記憶されることで設定される。この実施の形態では、一例として、受信制限部２５３は、レイテンシカウンタに記憶されたレイテンシカウンタ値を、コネクション・イベントのタイミングとなる毎にデクリメント（１減算）していき、レイテンシカウンタ値が「０」になるまで、通信端末１００によって送信されたデータが受信されないように制御する。
【００４５】
設定部２５４は、データ受信部２５１によって受信されたデータに含まれる、レイテンシオフ回数を示すレイテンシオフ値を読み取り、このレイテンシオフ値に基づいて、例えば、ＲＡＭ２０６の所定領域に設けられたレイテンシオフカウンタにレイテンシオフカウンタ値を記憶することによってレイテンシオフ回数（特定回数）を設定する。レイテンシオフ回数は、受信制限部２５３による制限（データ受信部２５１によるデータの受信の制限）を解除するために用いられる回数である。
【００４６】
制限解除部２５５は、通信端末１００によって間欠的に送信されたデータの送信回数が、設定部２５４によって設定されたレイテンシオフ回数に到達した場合、受信制限部２５３による制限を解除して、データ受信部２５１によってデータが受信できるようにする。なお、データ受信部２５１はデータを受信するが、データ送信部２５２は、通信端末１００からの要請がない限りデータを送信しない。この実施の形態では、一例として、受信制限部２５３は、レイテンシオフカウンタに記憶されたレイテンシオフカウンタ値を、コネクション・イベントのタイミングとなる毎にデクリメント（１減算）していき、レイテンシオフカウンタ値が「０」になった場合、受信制限部２５３による制限を解除する。
【００４７】
送信条件判定部２５６は、データ受信部２５１によって受信されたデータに基づいて、通信端末１００にデータを送信するためのデータの送信条件を満たすか否かを判定する。この実施の形態では、一例として、送信条件判定部２５６は、データ受信部２５１によって受信されたデータのパケット構造のうちのペイロード部のデータ値が、例えば「０」といった空であることを示すデータ値である場合、通信端末１００にデータを送信する必要がないとしてデータの送信条件を満たさないと判定する。また、送信条件判定部２５６は、データ受信部２５１によって受信されたデータのパケット構造のうちのペイロード部のデータ値が、空であることを示すデータ値以外のデータ値である場合、データの送信条件を満たすと判定する。
【００４８】
次に、本実施の形態における無線通信システム１の動作を図４のフローチャートを参照しつつ説明する。
【００４９】
環境情報測定装置２００は、図４に示すように、通信端末１００にアドバタイズメントを一定期間の間隔で間欠的に送信する（ステップＳ１０）。アドバタイズメントとは、通信端末１００が環境情報測定装置２００を探したり、通信端末１００が環境情報測定装置２００と接続したりできるようにするために、環境情報測定装置２００が通信端末１００に対して自分の存在を知らせるための識別情報のことをいう。なお、アドバタイズメントを、「アドバタイズパケット」や「アドバタイズメントパケット」、「アドバタイジングパケット」ということもある。また、アドバタイズメントを送信することを「アドバタイズ」や「アドバタイジング」という。
【００５０】
通信端末１００は、例えば、環境情報を測定するためにユーザがタッチパネル１３０への操作を行ったことに基づいて、アドバタイズメントを受信するための受信動作処理を実行する（ステップＳ１１）。ステップＳ１１では、通信端末１００は、アドバタイズメントをスキャンして、環境情報測定装置２００から送信されたアドバタイズメントを受信する。ステップＳ１１にてアドバタイズメントを受信した後、通信端末１００は、環境情報測定装置２００と接続するための接続動作処理を実行する（ステップＳ１２）。ステップＳ１２では、通信端末１００は、接続要求信号にレイテンシ値やコネクション・イベントのタイミングを示す値、コネクション・イベント・インターバルの期間を示す値などを含める処理を行った後に、環境情報測定装置２００に接続要求信号を送信する。
【００５１】
環境情報測定装置２００は、通信端末１００から送信された接続要求信号を受信する接続動作処理を実行する（ステップＳ１３）。ステップＳ１３の処理を実行した後、環境情報測定装置２００は、受信した接続要求信号に含まれているレイテンシ値やコネクション・イベントのタイミングを示す値、コネクション・イベント・インターバルの期間を示す値などを読み取り、読み取った値に基づいて、ＲＡＭ２０６の所定領域に設けられたカウンタ等の各バッファにカウンタ値等の値を設定するカウンタ等設定処理を実行する。これにより、通信端末１００と環境情報測定装置２００との接続が確立される。
【００５２】
ステップＳ１２及びステップＳ１３の処理が実行されて通信端末１００と環境情報測定装置２００との接続が確立した後、通信端末１００と環境情報測定装置２００との間でデータ送受信が行われる（ステップＳ１４）。ステップＳ１４のデータ送受信が行われることにより、環境情報測定装置２００から、温度、相対湿度、ＷＢＧＴ値などのデータやアラーム信号が通信端末１００に送信される。
【００５３】
ここで、ステップＳ１４にて通信端末１００と環境情報測定装置２００との間で行われる従来のデータ送受信について詳しく説明する。
【００５４】
図５は、ステップＳ１４のデータ送受信の動作を示す図である。図５に示すようにステップＳ１４では、通信端末１００は、コネクション・イベント（Connection Event）のタイミングで、環境情報測定装置２００に、データＡ１（DATA_PDU）を送信する（ステップＳ２１ａ）。
【００５５】
また、環境情報測定装置２００は、コネクション・イベントのタイミングに対応して、通信端末１００によって送信されたデータＡ１を受信する（ステップＳ２１ｂ）。環境情報測定装置２００は、データＡ１を受信した後、通信端末１００にデータＢ１（DATA_PDU）を送信する（ステップＳ２１ｃ）。通信端末１００は、環境情報測定装置２００がデータＢ１を送信するタイミングに対応して、環境情報測定装置２００によって送信されたデータＢ１を受信する（ステップＳ２１ｄ）。
【００５６】
環境情報測定装置２００がステップＳ２１ｂの処理を開始するとき（データＡ１の受信を開始するとき）からステップＳ２１ｃの処理を終了するとき（データＢ１の送信を終了するとき）までの間、環境情報測定装置２００の無線通信動作部１１０の送信回路及び受信回路は、アクティブ（Active）となる。環境情報測定装置２００がステップＳ２１ｃの処理を終了した後（データＢ１の送信を終了した後）、環境情報測定装置２００の無線通信動作部１１０の送信回路及び受信回路は、インアクティブ（Inactive）となる。
【００５７】
なお、環境情報測定装置２００が、後述するステップＳ２２ｂ、Ｓ２３ｂ、Ｓ２４ｂ、Ｓ２５ｂ・・・の処理を開始するときからステップＳ２２ｃ、Ｓ２３ｃ、Ｓ２４ｃ、Ｓ２５ｃ・・・の処理を終了するときまでの間も、環境情報測定装置２００の無線通信動作部１１０の送信回路及び受信回路は、アクティブとなる。環境情報測定装置２００が、ステップＳ２２ｃ、Ｓ２３ｃ、Ｓ２４ｃ、Ｓ２５ｃ・・・の処理を終了した後も、環境情報測定装置２００の無線通信動作部１１０の送信回路及び受信回路は、インアクティブとなる。
【００５８】
通信端末１００は、コネクション・イベントのタイミングからコネクション・イベント・インターバル（Connection Event Interval;ConnInterval）の期間が経過した後のコネクション・イベントのタイミングで、環境情報測定装置２００に、データＡ２を送信する（ステップＳ２２ａ）。また、環境情報測定装置２００は、コネクション・イベントのタイミングに対応して、通信端末１００によって送信されたデータＡ２を受信する（ステップＳ２２ｂ）。環境情報測定装置２００は、データＡ２を受信した後、通信端末１００にデータＢ２を送信する（ステップＳ２２ｃ）。通信端末１００は、環境情報測定装置２００がデータＢ２を送信するタイミングに対応して、環境情報測定装置２００によって送信されたデータＢ２を受信する（ステップＳ２２ｄ）。このように通信端末１００及び環境情報測定装置２００は、上記動作を繰り返し（ステップＳ２３、ステップＳ２４、ステップＳ２５・・・）実行して、一定期間の間隔で間欠的にデータＡ３、Ａ４、Ａ５・・・、Ｂ３、Ｂ４、Ｂ５・・・の送受信を行う。
【００５９】
また、ステップＳ１４では、環境情報測定装置２００においてスレーブレイテンシ動作（「レイテンシ動作」又は「レイテンシ」ともいう。）と呼ばれる制御が行われることがある。スレーブレイテンシ動作とは、環境情報測定装置２００が、通信端末１００から間欠的に送られてくるデータを、ステップＳ１２の接続動作処理の際に受信した接続要求信号に含まれているレイテンシ値が示すレイテンシ回数の範囲内で連続して受信しない（受信制限をする）制御である。スレーブレイテンシ動作は、例えば、環境情報測定装置２００の電池残量が少なくなってきたときに設定されて実行される。スレーブレイテンシ動作が行われることにより、環境情報測定装置２００の消費電力が抑えられる。
【００６０】
図６は、ステップＳ１４において従来のスレーブレイテンシ動作が実行されるデータ送受信の動作を示す図である。なお、図６は、データを２回連続して受信しないスレーブレイテンシ動作（レイテンシ回数が２回のスレーブレイテンシ動作）が実行される場合を示している。図６に示すようにステップＳ１４では、通信端末１００は、コネクション・イベントのタイミングで、環境情報測定装置２００に、データＣ１（DATA_PDU）を送信する（ステップＳ３１ａ）。
【００６１】
また、環境情報測定装置２００は、コネクション・イベントのタイミングに対応して、通信端末１００によって送信されたデータＣ１を受信する（ステップＳ３１ｂ）。環境情報測定装置２００は、データＣ１を受信した後、通信端末１００にデータＤ１（DATA_PDU）を送信する（ステップＳ３１ｃ）。通信端末１００は、環境情報測定装置２００がデータＤ１を送信するタイミングに対応して、環境情報測定装置２００によって送信されたデータＤ１を受信する（ステップＳ３１ｄ）。
【００６２】
環境情報測定装置２００がステップＳ３１ｂの処理を開始するとき（データＣ１の受信を開始するとき）からステップＳ３１ｃの処理を終了するとき（データＤ１の送信を終了するとき）までの間、環境情報測定装置２００の無線通信動作部１１０の送信回路及び受信回路は、アクティブとなる。環境情報測定装置２００がステップＳ３１ｃの処理を終了した後（データＤ１の送信を終了した後）、環境情報測定装置２００の無線通信動作部１１０の送信回路及び受信回路は、インアクティブとなる。
【００６３】
なお、環境情報測定装置２００が、後述するステップＳ３４ｂの処理を開始するときからステップＳ３４ｃの処理を終了するときまでの間も、環境情報測定装置２００の無線通信動作部１１０の送信回路及び受信回路は、アクティブとなる。環境情報測定装置２００が、ステップＳ３４ｃの処理を終了した後も、環境情報測定装置２００の無線通信動作部１１０の送信回路及び受信回路は、インアクティブとなる。
【００６４】
通信端末１００は、コネクション・イベントのタイミングからコネクション・イベント・インターバルの期間が経過した後のコネクション・イベントのタイミングで、環境情報測定装置２００に、データＣ２を送信する（ステップＳ３２ａ）。環境情報測定装置２００は、スレーブレイテンシ動作により、通信端末１００によって送信されたデータＣ２を受信しない（ステップＳ３２ｂ）。なお、環境情報測定装置２００はデータＣ２を受信しないので、環境情報測定装置２００は通信端末１００にデータを送信せず、従って、通信端末１００は環境情報測定装置２００からデータを受信しない。
【００６５】
通信端末１００は、さらにコネクション・イベントのタイミングからコネクション・イベント・インターバルの期間が経過した後のコネクション・イベントのタイミングで、環境情報測定装置２００に、データＣ３を送信する（ステップＳ３３ａ）。環境情報測定装置２００は、スレーブレイテンシ動作により、通信端末１００によって送信されたデータＣ３を受信しない（ステップＳ３３ｂ）。
【００６６】
通信端末１００は、さらにコネクション・イベントのタイミングからコネクション・イベント・インターバルの期間が経過した後のコネクション・イベントのタイミングで、環境情報測定装置２００に、データＣ４を送信する（ステップＳ３４ａ）。また、環境情報測定装置２００は、コネクション・イベントのタイミングに対応して、通信端末１００によって送信されたデータＣ４を受信する（ステップＳ３４ｂ）。環境情報測定装置２００は、データＣ４を受信した後、通信端末１００にデータＤ４を送信する（ステップＳ３４ｃ）。通信端末１００は、環境情報測定装置２００がデータＤ４を送信するタイミングに対応して、環境情報測定装置２００によって送信されたデータＤ４を受信する（ステップＳ３４ｄ）。
【００６７】
通信端末１００は、さらにコネクション・イベントのタイミングからコネクション・イベント・インターバルの期間が経過した後のコネクション・イベントのタイミングで、環境情報測定装置２００に、データＣ５を送信する（ステップＳ３５ａ）。環境情報測定装置２００は、スレーブレイテンシ動作により、通信端末１００によって送信されたデータＣ５を受信しない（ステップＳ３５ｂ）。このように通信端末１００及び環境情報測定装置２００は、上記動作を繰り返し実行して、データの送受信を行う。
【００６８】
次に、本実施の形態に係る通信端末１００の動作について、図７を参照して説明する。図７は、本実施の形態に係る通信端末１００の制御部１０２が実行する通信処理の一例を示すフローチャートである。なお、この通信処理は、ＲＯＭ１０４内に予め記憶されているプログラムを読み出して実行する制御部１０２によって行われる。
【００６９】
通信端末１００の制御部１０２は、例えば、環境情報測定用のアプリケーションを立ち上げた後に、図７に示す通信処理を開始する。
【００７０】
まず、制御部１０２は、例えば、環境情報を測定するためにユーザが行うタッチパネル１３０への操作を、環境情報測定装置２００との接続要求として取得する（ステップＳ１０１）。
【００７１】
制御部１０２は、アドバタイズメントを受信するためのアドバタイズメント受信動作処理を実行する（ステップＳ１０２）。ステップＳ１０２では、一例として、制御部１０２は、アドバタイズメントをスキャンして、環境情報測定装置２００から送信されたアドバタイズメントを受信したか否かを判定し、アドバタイズメントを受信していないと判定された場合、予め定められたポーリング周期の期間経過後、アドバタイズメントを再度スキャンする。制御部１０２は、アドバタイズメントを受信するまで上記動作を繰り返し実行する。
【００７２】
ステップＳ１０２の処理を実行した後、制御部１０２は、環境情報測定装置２００と接続するための接続動作処理を実行する（ステップＳ１０３）。ステップＳ１０３では、制御部１０２は、接続要求信号にレイテンシ値やコネクション・イベントのタイミングを示す値、コネクション・イベント・インターバルの期間を示す値などを含める処理を行った後に、環境情報測定装置２００に接続要求信号を送信する。このように、制御部１０２は、環境情報測定装置２００に対して、レイテンシ回数を示すレイテンシ値などを含む接続要求信号を送信することによってレイテンシ（送受信の不必要）を指定するレイテンシ指定部（送受信不必要指定部）として機能する。この実施の形態では、一例として、レイテンシ値は、レイテンシ回数２回を示す「０１０（３ビット）」といった値である。なお、レイテンシ値は、レイテンシ回数２回を示す値に限定されず、１回又は３回以上を示す値であってもよい。なお、後述するステップＳ１０５のデータ送受信処理の実行中に、ユーザによるレイテンシ値アップデート操作が行われたことに基づいて、例えば、変更されたレイテンシ値を含むレイテンシ値アップデート信号を環境情報測定装置２００に送信するようにしてもよい。
【００７３】
ステップＳ１０３の処理を実行した後、制御部１０２は、環境情報測定装置２００に送信するデータに含めるレイテンシオフ値（Latency_off値）として「０００（３ビット）」を、例えば、ＲＡＭ１０６に設けられたレイテンシオフバッファに設定（記憶）する（ステップＳ１０４）。
【００７４】
ここで、通信端末１００が送信するデータのパケット構造について説明する。図８（Ａ）は、データのパケット構造を示す図である。データは、１６ビットから成るヘッダ部３０１（Header）と、データ値が格納されるペイロード部３０２（Payload）と、を有する。ヘッダ部３０１は、３ビットから成るフィールド３１１（RFU-1）と、５ビットから成るフィールド３１２（Length）と、を含んでいる。フィールド３１１（RFU-1）は、レイテンシオフ値を格納するための領域である。フィールド３１２は、ペイロード部３０２に格納されるデータ値のビット長を示すデータ値を格納するための領域である。なお、ヘッダ部３０１は３ビットから成るフィールド（RFU-2）を含んでおり、このフィールド（RFU-2）が、レイテンシオフ値を格納するための領域であってもよい。また、フィールド３１１（RFU-1）とフィールド（RFU-2）との両方が、レイテンシオフ値を格納するための領域であってもよい。
【００７５】
図８（Ｂ）は、レイテンシオフ値（Latency_off値）の設定例を示す図である。この実施の形態では、図８（Ｂ）に示すように「０００（３ビット）」、「００１（３ビット）」及び「０１０（３ビット）」の３つのレイテンシオフ値が用意されている。例えば、「０００（３ビット）」は、レイテンシオフ回数として０回を示す値である。「００１（３ビット）」は、レイテンシオフ回数として１回を示す値である。「０１０（３ビット）」は、レイテンシオフ回数として２回を示す値である。なお、レイテンシオフ回数は０回〜２回に限定されず、３回以上であってもよい。この場合には、「０１１（３ビット）」、「１００（３ビット）」、「１０１（３ビット）」・・・といったレイテンシオフ値を用意すればよい。後述するステップＳ１０５のデータ送受信処理においてデータを送信する際には、ＲＡＭ１０６に設けられたレイテンシオフバッファに設定されたレイテンシオフ値がデータのフィールド３１１に格納される。なお、ステップＳ１０４の処理が実行されることによってレイテンシオフバッファにはレイテンシオフ値として「０００（３ビット）」が設定されるので、起動直後に送信するデータのフィールド３１１には、「０００（３ビット）」が格納される。
【００７６】
ステップＳ１０４の処理を実行した後、制御部１０２は、データ送受信処理を実行する（ステップＳ１０５）。図９は、図７に示すステップＳ１０５のデータ送受信処理の一例を示すフローチャートである。
【００７７】
図９に示すように、制御部１０２は、まず、コネクション・イベントのタイミングであるか否かを判定する（ステップＳ１５１）。ステップＳ１５１にてコネクション・イベントのタイミングではないと判定された場合（ステップＳ１５１；Ｎｏ）、制御部１０２は、コネクション・イベントのタイミングとなるまでステップＳ１５１の処理を繰り返し実行する。
【００７８】
ステップＳ１５１にてコネクション・イベントのタイミングであると判定された場合（ステップＳ１５１；Ｙｅｓ）、データ送信部１５１（受信制御情報送信部）として機能する制御部１０２は、無線通信動作部１１０の送信回路をアクティブにして、環境情報測定装置２００に、レイテンシオフ値を含むデータを送信する（ステップＳ１５２）。なお、ステップＳ１５２では、制御部１０２は、ＲＡＭ１０６に設けられたレイテンシオフバッファに設定されたレイテンシオフ値をデータのフィールド３１１に格納して、データを送信する。このように、制御部１０２は、環境情報測定装置２００に、レイテンシ時における受信を制御する情報であるレイテンシオフ値を、その他のデータ値とともに送信する。
【００７９】
次に、制御部１０２は、無線通信動作部１１０の受信回路をアクティブにする（ステップＳ１５３）。ステップＳ１５３では、制御部１０２は、環境情報測定装置２００がデータを送信した場合、そのデータを受信する。
【００８０】
ステップＳ１５３の処理を実行した後、制御部１０２は、環境情報測定装置２００が送信したデータを受信したか否かを判定する（ステップＳ１５４）。ステップＳ１５４にてデータを受信したと判定された場合（ステップＳ１５４；Ｙｅｓ）、制御部１０２は、表示部１２８の表示画面を更新する（ステップＳ１５５）。ステップＳ１５５では、制御部１０２は、表示部１２８の表示画面に、例えば、図１に示すようにＷＢＧＴ値「２５℃」や「警戒」といった画像を表示する。なお、表示部１２８の表示画面に、ＷＢＧＴ値「２５℃」や「警戒」といった画像が既に表示されている場合には、例えば「変化なし」といった画像をさらに表示してもよい。
【００８１】
ステップＳ１５５の処理を実行した後、又は、ステップＳ１５４にてデータを受信していないと判定された場合（ステップＳ１５４；Ｎｏ）、第１変更条件判定部１５２として機能する制御部１０２は、第１変更条件を満たすか否かを判定する（ステップＳ１５６）。ステップＳ１５６では、制御部１０２は、例えば、ユーザのタッチパネル１３０への操作を検出してから、１分といった第１期間以内である場合に、第１変更条件を満たす、即ち、高速なレスポンスが必要であると判定する。ステップＳ１５６にて第１変更条件を満たすと判定された場合（ステップＳ１５６；Ｙｅｓ）、変更部１５４として機能する制御部１０２は、ＲＡＭ１０６に設けられたレイテンシオフバッファに設定されたレイテンシオフ値（Latency_off値）を変更して、レイテンシオフ回数を減らす（ステップＳ１５８）。
【００８２】
ステップＳ１５８では、レイテンシオフバッファに設定されているレイテンシオフ値が、レイテンシオフ回数２回を示すレイテンシオフ値「０１０（３ビット）」である場合、制御部１０２は、レイテンシオフ回数１回を示すレイテンシオフ値「００１（３ビット）」をレイテンシオフバッファに上書きする。これによりレイテンシオフ値が変更される。また、レイテンシオフバッファに設定されているレイテンシオフ値が、レイテンシオフ回数１回を示すレイテンシオフ値「００１（３ビット）」である場合、制御部１０２は、レイテンシオフ回数０回を示すレイテンシオフ値「０００（３ビット）」をレイテンシオフバッファに上書きする。これによりレイテンシオフ値が変更される。また、レイテンシオフバッファに設定されているレイテンシオフ値が、レイテンシオフ回数０回を示すレイテンシオフ値「０００（３ビット）」である場合、制御部１０２は、レイテンシオフバッファに設定されているレイテンシオフ値をそのままとする。
【００８３】
なお、ステップＳ１５８において、レイテンシオフバッファに設定されているレイテンシオフ値が、レイテンシオフ回数２回を示すレイテンシオフ値「０１０（３ビット）」である場合、レイテンシオフ回数０回を示すレイテンシオフ値「０００（３ビット）」に変更してもよい。
【００８４】
ステップＳ１５６にて第１変更条件を満たさないと判定された場合（ステップＳ１５６；Ｎｏ）、第２変更条件判定部１５３として機能する制御部１０２は、第２変更条件を満たすか否かを判定する（ステップＳ１５７）。ステップＳ１５７では、制御部１０２は、例えば、ユーザのタッチパネル１３０への操作を検出してから、３分といった第２期間が経過した場合に、第２変更条件を満たす、即ち、レイテンシオフ回数を増やして消費電力を抑えることが必要であると判定する。
【００８５】
ステップＳ１５７にて第２変更条件を満たすと判定された場合（ステップＳ１５７；Ｙｅｓ）、変更部１５４として機能する制御部１０２は、ＲＡＭ１０６に設けられたレイテンシオフバッファに設定されたレイテンシオフ値（Latency_off値）を変更して、レイテンシオフ回数を増やす（ステップＳ１５９）。
【００８６】
ステップＳ１５９では、レイテンシオフバッファに設定されているレイテンシオフ値が、レイテンシオフ回数０回を示すレイテンシオフ値「０００（３ビット）」である場合、制御部１０２は、レイテンシオフ回数１回を示すレイテンシオフ値「００１（３ビット）」をレイテンシオフバッファに上書きする。これによりレイテンシオフ値が変更される。また、レイテンシオフバッファに設定されているレイテンシオフ値が、レイテンシオフ回数１回を示すレイテンシオフ値「００１（３ビット）」である場合、制御部１０２は、レイテンシオフ回数２回を示すレイテンシオフ値「０１０（３ビット）」をレイテンシオフバッファに上書きする。これによりレイテンシオフ値が変更される。また、レイテンシオフバッファに設定されているレイテンシオフ値が、レイテンシオフ回数２回を示すレイテンシオフ値「０１０（３ビット）」である場合、制御部１０２は、レイテンシオフバッファに設定されているレイテンシオフ値をそのままとする。
【００８７】
なお、ステップＳ１５９において、レイテンシオフバッファに設定されているレイテンシオフ値が、レイテンシオフ回数０回を示すレイテンシオフ値「０００（３ビット）」である場合、レイテンシオフ回数２回を示すレイテンシオフ値「０１０（３ビット）」に変更してもよい。
【００８８】
ステップＳ１５８の処理を実行した後、ステップＳ１５９の処理を実行した後、又は、ステップＳ１５７にて第２変更条件を満たさないと判定された場合（ステップＳ１５７；Ｎｏ）、制御部１０２は、無線通信動作部１１０の送信回路及び受信回路をインアクティブにする（ステップＳ１６０）。ステップＳ１６０の処理を実行した後、制御部１０２は、ステップＳ１５１の処理を実行する。
【００８９】
なお、ステップＳ１０５のデータ送受信処理は、例えば、ユーザによるタッチパネル１３０への操作によって切断が選択されたときや環境情報測定用のアプリケーションの終了が選択されたときなどに、終了する。ステップＳ１０５の処理が実行された後、制御部１０２は、通信処理を終了する。
【００９０】
次に、本実施の形態に係る環境情報測定装置２００の動作について、図１０を参照して説明する。図１０は、本実施の形態に係る環境情報測定装置２００の制御部２０２が実行する通信処理の一例を示すフローチャートである。なお、この通信処理は、ＲＯＭ２０４内に予め記憶されているプログラムを読み出して実行する制御部２０２によって行われる。
【００９１】
環境情報測定装置２００の制御部２０２は、例えば、ユーザによる操作部２２０への操作によって電源ＯＮ状態となった後に、図１０に示す通信処理を開始する。
【００９２】
まず、制御部２０２は、通信端末１００にアドバタイズメントを一定期間の間隔で間欠的に送信するアドバタイズを行うアドバタイズメント送信処理を実行する（ステップＳ２０１）。ステップＳ２０１の処理を実行した後、制御部２０２は、通信端末１００から送信された接続要求信号を受信する接続動作処理を実行する（ステップＳ２０２）。ステップＳ２０２の処理を実行した後、制御部１０２は、ステップＳ２０２にて受信した接続要求信号に含まれているレイテンシ値やコネクション・イベントのタイミングを示す値、コネクション・イベント・インターバルの期間を示す値などを読み取り、読み取った値に基づいて、ＲＡＭ２０６の所定領域に設けられたカウンタ等の各バッファにカウンタ値等の値を設定するカウンタ等設定処理を実行する（ステップＳ２０３）。図１１は、各バッファの設定例を示す。
【００９３】
ステップＳ２０３では、一例として、制御部２０２は、接続要求信号に含まれるレイテンシ値「０１０（３ビット）」に基づいて、図１１に示すように、レイテンシ回数２回を示す「２」をレイテンシ回数値（lat値）としてレイテンシ回数バッファ（lat）に設定する。なお、後述するステップＳ２０４のデータ送受信処理の実行中に、例えば、通信端末１００から変更されたレイテンシ値を含むレイテンシ値アップデート信号を受信し、受信したレイテンシ値アップデート信号に含まれるレイテンシ値に基づいて、レイテンシ回数値が変更されるようにしてもよい。
【００９４】
また、ステップＳ２０３では、制御部２０２は、レイテンシ回数２回を示す「２」をレイテンシカウンタ値（C_lat値）の初期値としてレイテンシカウンタ（C_lat）に設定する。従って、通信端末１００との接続直後に、レイテンシ回数が２回のスレーブレイテンシ動作が行われることになる。なお、レイテンシ回数１回を示す「１」をレイテンシカウンタ値（C_lat値）の初期値としてレイテンシカウンタ（C_lat）に設定して、レイテンシ回数が１回のスレーブレイテンシ動作が行われるようにしてもよく、レイテンシ回数０回を示す「０」をレイテンシカウンタ値（C_lat値）の初期値としてレイテンシカウンタ（C_lat）に設定して、スレーブレイテンシ動作が行われないようにしてもよい。
【００９５】
また、制御部２０２は、接続要求信号に含まれるコネクション・イベント・インターバルの期間を示す値に基づいて、「３秒」をインターバル期間としてインターバルカウンタ（C_connint）に設定する。なお、インターバル期間は３秒に限定されず、３秒より短い期間であってもよく、３秒より長い期間であってもよい。
【００９６】
また、ステップＳ２０３では、制御部２０２は、レイテンシオフ回数２回を示す「２」をレイテンシオフカウンタ値（C_latoff値）の初期値としてレイテンシオフカウンタ（C_latoff）に設定する。なお、レイテンシオフ回数１回を示す「１」、又は、レイテンシオフ回数０回を示す「０」をレイテンシオフカウンタ値（C_latoff値）の初期値としてレイテンシオフカウンタ（C_latoff）に設定してもよい。このように、制御部２０２は、各バッファにカウンタ値等の値を設定することによって通信端末１００とのレイテンシを設定するレイテンシ設定部（送受信不必要設定部）として機能する。
【００９７】
ステップＳ２０３の処理を実行した後、制御部２０２は、データ送受信処理を実行する（ステップＳ２０４）。図１２は、図１０に示すステップＳ２０４のデータ送受信処理の一例を示すフローチャートである。
【００９８】
図１２に示すように、制御部２０２は、まず、コネクション・イベントのタイミングであるか否かを判定する（ステップＳ２５１）。ステップＳ２５１にてコネクション・イベントのタイミングではないと判定された場合（ステップＳ２５１；Ｎｏ）、制御部２０２は、コネクション・イベントのタイミングとなるまでステップＳ２５１の処理を繰り返し実行する。
【００９９】
ステップＳ２５１にてコネクション・イベントのタイミングであると判定された場合（ステップＳ２５１；Ｙｅｓ）、受信制限部２５３として機能する制御部２０２は、レイテンシカウンタ値（C_lat値）が「０」であるか否かを判定する（ステップＳ２５２）。ステップＳ２５２にてレイテンシカウンタ値が「０」でないと判定された場合（ステップＳ２５２；Ｎｏ）、制御部２０２は、レイテンシカウンタ値をデクリメント（１減算）する（ステップＳ２５３）。ステップＳ２５３の処理を実行した後、制限解除部２５５として機能する制御部２０２は、レイテンシオフカウンタ値（C_latoff値）が「０」であるか否かを判定する（ステップＳ２５４）。ステップＳ２５４にてレイテンシオフカウンタ値が「０」でないと判定された場合（ステップＳ２５４；Ｎｏ）、制御部２０２は、レイテンシオフカウンタ値をデクリメント（１減算）する（ステップＳ２５５）。
【０１００】
また、ステップＳ２５２にてレイテンシカウンタ値が「０」であると判定された場合（ステップＳ２５２；Ｙｅｓ）、データ受信部２５１（受信制御情報受信部）として機能する制御部２０２は、無線通信動作部２１０の受信回路をアクティブにして、通信端末１００からのデータを受信する（ステップＳ２５７）。このように、制御部２０２は、レイテンシ時における受信を制御する情報であるレイテンシオフ値を、その他のデータ値とともに受信する。ステップＳ２５７の処理を実行した後、設定部２５４として機能する制御部２０２は、ステップＳ２５７にて受信したデータのヘッダ部よりレイテンシオフ値（Latency_off値）を読み取り、読み取ったレイテンシオフ値に基づいて、レイテンシオフカウンタ値（C_latoff値）をレイテンシオフカウンタ（C_latoff）に設定する（ステップＳ２５８）。ステップＳ２５８では、例えば、レイテンシオフ値が「００１（３ビット）」である場合、制御部２０２は、レイテンシオフカウンタ値として「１」をレイテンシオフカウンタに設定する。なお、レイテンシオフ値が「０００（３ビット）」、「０１０（３ビット）」である場合も、上記と同様にレイテンシオフカウンタ値「０」、「２」をレイテンシオフカウンタに設定する。
【０１０１】
ステップＳ２５８の処理を実行した後、データ送信部２５２として機能する制御部２０２は、無線通信動作部２１０の送信回路をアクティブにして、通信端末１００にデータを送信する（ステップＳ２５９）。ステップＳ２５９の処理を実行した後、制御部２０２は、レイテンシカウンタ値（C_lat値）を、例えば「２」に設定（上書き）する（ステップＳ２６０）。これにより、レイテンシ回数として２回が設定される。なお、ステップＳ２６０では、制御部２０２は、例えば、電池残量に応じて、レイテンシカウンタ値（C_lat値）を「０」〜「２」のいずれかに設定すればよい。
【０１０２】
また、ステップＳ２５４にてレイテンシオフカウンタ値が「０」であると判定された場合（ステップＳ２５４；Ｙｅｓ）、データ受信部２５１として機能する制御部２０２は、無線通信動作部２１０の受信回路をアクティブにして、通信端末１００からのデータを受信する（ステップＳ２６１）。このように、通信端末１００によって送信されたデータの送信回数がレイテンシオフ回数に到達した場合には、ステップＳ２５２の「Ｎｏ」の判定によるデータの受信制限が解除されて、データ受信部２５１によってデータが受信されることになる。ステップＳ２６１の処理を実行した後、設定部２５４として機能する制御部２０２は、ステップＳ２６１にて受信したデータのヘッダ部よりレイテンシオフ値（Latency_off値）を読み取り、読み取ったレイテンシオフ値に基づいて、レイテンシオフカウンタ値（C_latoff値）をレイテンシオフカウンタ（C_latoff）に設定する（ステップＳ２６２）。ステップＳ２６２では、ステップＳ２５８の処理と同様にレイテンシオフカウンタ値「０」、「１」及び「２」のうちのいずれかの値をレイテンシオフカウンタに設定する。
【０１０３】
このように、制御部２０２は、ステップＳ２５８の処理又はステップＳ２６２の処理によりレイテンシオフカウンタ値を設定する。そして、ステップＳ２５４にてレイテンシオフカウンタ値が「０」であるか否かを判定し、レイテンシオフカウンタ値が「０」である場合、通信端末１００からのデータを受信する。従って、制御部２０２は、レイテンシ時における受信を制御する情報であるレイテンシオフ値に基づいて、通信端末１００からのデータの受信を制御する受信制御部として機能する。
【０１０４】
ステップＳ２６２の処理を実行した後、送信条件判定部２５６として機能する制御部２０２は、通信端末１００にデータを送信するためのデータの送信条件を満たすか否かを判定する（ステップＳ２６３）。ステップＳ２６３では、制御部２０２は、ペイロード部のデータ値を読み取り、そのデータ値が、例えば「０」といった空であることを示すデータ値である場合に、データの送信条件を満たさないと判定する。また、制御部２０２は、ペイロード部のデータ値が、「０」といった空であることを示すデータ値以外のデータ値である場合に、データの送信条件を満たすと判定する。ステップＳ２６３にてデータの送信条件を満たすと判定された場合（ステップＳ２６３；Ｙｅｓ）、制御部２０２は、ステップＳ２５９の処理を実行して、データを送信する。また、ステップＳ２６３にてデータの送信条件を満たさないと判定された場合（ステップＳ２６３；Ｎｏ）、制御部２０２は、ステップＳ２５９の処理を実行しない。従って、制御部２０２は通信端末１００にデータを送信しない。
【０１０５】
ステップＳ２５５の処理を実行した後、ステップＳ２６０の処理を実行した後、又は、ステップＳ２６３にてデータの送信条件を満たさないと判定された場合（ステップＳ２６３；Ｎｏ）、制御部２０２は、無線通信動作部２１０の送信回路及び受信回路をインアクティブにする（ステップＳ２６５）。ステップＳ２６５の処理を実行した後、制御部２０２は、ステップＳ２５１の処理を実行する。
【０１０６】
なお、ステップＳ２０４のデータ送受信処理は、例えば、ユーザによる操作部２２０への操作によって切断が選択されたときや電源ＯＦＦが選択されたときなどに、終了する。ステップＳ２０４の処理が実行された後、制御部２０２は、通信処理を終了する。
【０１０７】
図１３は、本実施の形態に係る無線通信システム１のデータ送受信のタイミングの一例を示す図である。なお、図１３において黒塗りのバーは、ペイロード部が空でないデータを示し、白塗りのバーは、ペイロード部が空であるデータ（空データ）を示している。
【０１０８】
コネクション・イベントＣＥ１では、通信端末１００は、レイテンシオフ値（Latency_off値）として「２」を含むデータを送信する。環境情報測定装置２００は、通信端末１００からのデータを受信した後、通信端末１００にデータを送信する。コネクション・イベントＣＥ１のときの処理により、環境情報測定装置２００のレイテンシカウンタ値（C_lat値）は「２」、レイテンシオフカウンタ値（C_latoff値）は「２」となる。
【０１０９】
コネクション・イベントＣＥ２では、通信端末１００は、レイテンシオフ値（Latency_off値）として「２」を含むデータを送信する。環境情報測定装置２００は、レイテンシカウンタ値及びレイテンシオフカウンタ値が「０」ではないので、通信端末１００からのデータを受信しない。コネクション・イベントＣＥ２のときの処理により、環境情報測定装置２００のレイテンシカウンタ値（C_lat値）は「１」、レイテンシオフカウンタ値（C_latoff値）は「１」となる。
【０１１０】
コネクション・イベントＣＥ３では、コネクション・イベントＣＥ２と同様に、環境情報測定装置２００は、通信端末１００からのデータを受信しない。コネクション・イベントＣＥ３のときの処理により、環境情報測定装置２００のレイテンシカウンタ値（C_lat値）は「０」、レイテンシオフカウンタ値（C_latoff値）は「０」となる。
【０１１１】
コネクション・イベントＣＥ４では、通信端末１００は、レイテンシオフ値（Latency_off値）として「１」を含むデータを送信する。環境情報測定装置２００は、レイテンシカウンタ値が「０」であるので、通信端末１００からのデータを受信した後、通信端末１００にデータを送信する。コネクション・イベントＣＥ４のときの処理により、環境情報測定装置２００のレイテンシカウンタ値（C_lat値）は「２」、レイテンシオフカウンタ値（C_latoff値）は「１」となる。
【０１１２】
コネクション・イベントＣＥ５では、通信端末１００は、レイテンシオフ値（Latency_off値）として「０」を含むデータを送信する。環境情報測定装置２００は、レイテンシカウンタ値及びレイテンシオフカウンタ値が「０」ではないので、通信端末１００からのデータを受信しない。コネクション・イベントＣＥ５のときの処理により、環境情報測定装置２００のレイテンシカウンタ値（C_lat値）は「１」、レイテンシオフカウンタ値（C_latoff値）は「０」となる。
【０１１３】
コネクション・イベントＣＥ６では、通信端末１００は、レイテンシオフ値（Latency_off値）として「０」を含むデータを送信する。環境情報測定装置２００は、レイテンシオフカウンタ値が「０」であるので、通信端末１００からのデータを受信する。そして、環境情報測定装置２００は、受信したデータが空データではないため、データの送信条件を満たしたとして通信端末１００にデータを送信する。コネクション・イベントＣＥ６のときの処理により、環境情報測定装置２００のレイテンシカウンタ値（C_lat値）は「２」、レイテンシオフカウンタ値（C_latoff値）は「０」となる。
【０１１４】
コネクション・イベントＣＥ７では、通信端末１００は、レイテンシオフ値（Latency_off値）として「０」を含むデータを送信する。環境情報測定装置２００は、レイテンシオフカウンタ値が「０」であるので、通信端末１００からのデータを受信する。そして、環境情報測定装置２００は、受信したデータが空データではないため、データの送信条件を満たしたとして通信端末１００にデータを送信する。コネクション・イベントＣＥ７のときの処理により、環境情報測定装置２００のレイテンシカウンタ値（C_lat値）は「２」、レイテンシオフカウンタ値（C_latoff値）は「０」となる。
【０１１５】
コネクション・イベントＣＥ８では、通信端末１００は、レイテンシオフ値（Latency_off値）として「０」を含む空データを送信する。環境情報測定装置２００は、レイテンシオフカウンタ値が「０」であるので、通信端末１００からの空データを受信する。しかし、環境情報測定装置２００は、受信したデータが空データであるため、データの送信条件を満たしていないとして通信端末１００にデータを送信しない。コネクション・イベントＣＥ８のときの処理により、環境情報測定装置２００のレイテンシカウンタ値（C_lat値）は「１」、レイテンシオフカウンタ値（C_latoff値）は「０」となる。
【０１１６】
コネクション・イベントＣＥ９では、通信端末１００は、レイテンシオフ値（Latency_off値）として「０」を含む空データを送信する。環境情報測定装置２００は、レイテンシオフカウンタ値が「０」であるので、通信端末１００からの空データを受信する。しかし、環境情報測定装置２００は、受信したデータが空データであるため、データの送信条件を満たしていないとして通信端末１００にデータを送信しない。コネクション・イベントＣＥ９のときの処理により、環境情報測定装置２００のレイテンシカウンタ値（C_lat値）は「０」、レイテンシオフカウンタ値（C_latoff値）は「０」となる。
【０１１７】
コネクション・イベントＣＥ１０では、通信端末１００は、レイテンシオフ値（Latency_off値）として「０」を含む空データを送信する。環境情報測定装置２００は、レイテンシカウンタ値が「０」であるので、通信端末１００からの空データを受信した後、通信端末１００にデータを送信する。コネクション・イベントＣＥ１０のときの処理により、環境情報測定装置２００のレイテンシカウンタ値（C_lat値）は「２」、レイテンシオフカウンタ値（C_latoff値）は「０」となる。
【０１１８】
次に、環境情報測定装置２００の無線通信動作部２１０の送受信回路のアクティブ期間について図１４を参照して説明する。
【０１１９】
図１４に示すようにコネクション・イベントの開始タイミング、即ち、環境情報測定装置２００が通信端末１００からのデータ（DATA_PDU）を実際に受信するタイミングを、アンカーポイント（Anchor Point）と呼ぶ。上述した通信端末１００の接続動作処理及び環境情報測定装置２００の接続動作処理が実行されることにより、通信端末１００と環境情報測定装置２００との間では、コネクション・イベントのタイミングが同期して設定される。しかし、通信端末１００が備えるＣＰＵのクロックタイミングと環境情報測定装置２００が備えるＣＰＵのクロックタイミングとにズレが発生するため、コネクション・イベントの開始タイミングに対応して環境情報測定装置２００の受信回路を動作状態にした場合、環境情報測定装置２００は、通信端末１００からのデータを受信し損ねる虞がある。そこで、環境情報測定装置２００は、コネクション・イベントの開始タイミングよりもウィンド拡大期間α前のタイミングで無線通信動作部２１０の受信回路を動作状態にする。
【０１２０】
ウィンド拡大期間αは、例えば、次の計算式により算出される。ウィンド拡大期間α（秒）＝｛［通信端末１００が備えるＣＰＵのクロック精度（ｐｐｍ）＋環境情報測定装置２００が備えるＣＰＵのクロック精度（ｐｐｍ）］／１００００００｝＊前回のアンカーポイントからの経過期間（秒）。
【０１２１】
ウィンド拡大期間αは、上記の計算式により、前回のアンカーポイントからの経過期間が長くなるほど、長くなる。スレーブレイテンシ動作が実行されているときには、ウィンド拡大期間αが長くなり、環境情報測定装置２００の送受信回路全体のアクティブ期間が長くなる。従って、スレーブレイテンシ動作が実行されているときには、スレーブレイテンシ動作が実行されていないときと比べて、環境情報測定装置２００におけるデータの送受信１回に費やされる消費電力が大きくなる。しかし、本実施の形態によれば、通信端末１００によって間欠的に送信されるデータの送信回数が、レイテンシ回数よりも少ないレイテンシオフ回数に到達したときに、環境情報測定装置２００がデータを受信可能となっている。環境情報測定装置２００がデータを受信すれば、そのデータを受信したタイミングがアンカーポイントとなる。これによりレイテンシオフ回数が設定されない場合と比べてアンカーポイントが増えるため、ウィンド拡大期間αが長くなってしまうのを抑制できる。従って、環境情報測定装置２００におけるデータの送受信１回に費やされる消費電力を抑えることができる。
【０１２２】
以上説明したように、上記実施の形態に係る環境情報測定装置２００によれば、例えば図１２に示すようにステップＳ２５８又はステップＳ２６２においてレイテンシオフカウンタ値（C_latoff値）をレイテンシオフカウンタ（C_latoff）に設定することによってレイテンシオフ回数を設定する。ステップＳ２５２にてレイテンシカウンタ値（C_lat値）が「０」でないと判定された場合であっても、ステップＳ２５４にてレイテンシオフカウンタ値（C_latoff値）が「０」であると判定された場合、通信端末１００からのデータを受信する。即ち、スレーブレイテンシ動作においてデータの受信を制限しているときであっても、通信端末１００が送信するデータに含まれるレイテンシオフ値に基づいて、データの受信制限を解除し、通信端末１００からのデータを受信する。従って、環境情報測定装置２００におけるデータの受信が通信端末１００によって制御されるため、通信端末１００のレスポンス速度が制限されてしまうことを防止できる。
【０１２３】
上記実施の形態に係る環境情報測定装置２００によれば、例えばステップＳ２６３にてデータの送信条件を満たさないと判定された場合（ステップＳ２６３；Ｎｏ）、通信端末１００にデータを送信しない。これにより環境情報測定装置２００の無線通信動作部２１０の送受信回路のアクティブ期間が短くなるので、消費電力を抑えることができる。
【０１２４】
上記実施の形態に係る通信端末１００によれば、コネクション・イベント・インターバルの期間の間隔で間欠的にデータ送信を繰り返し実行する。送信するデータには、レイテンシ回数よりも少ないレイテンシオフ回数を示すレイテンシオフ値が含まれている。これにより環境情報測定装置２００は、通信端末１００によって間欠的に送信されたデータの受信を制限した回数が、受信したデータに含まれるレイテンシオフ値が示すレイテンシオフ回数に到達した場合、データの受信の制限を解除する。従って、環境情報測定装置２００との間でデータ送受信を行いつつ、環境情報測定装置２００におけるデータの受信を制御できる。
【０１２５】
上記実施の形態に係る通信端末１００によれば、例えばステップＳ１０５のデータ送受信処理の実行中に、ステップＳ１５６又はステップＳ１５７にて第１変更条件又は第２変更条件といった変更条件を満たすか否かを判定し、変更条件を満たすと判定した場合、ステップＳ１５８又はステップＳ１５９にてレイテンシオフ値を変更する。そして、変更後のレイテンシオフ値を含むデータを環境情報測定装置２００に送信する。従って、環境情報測定装置２００におけるデータの受信頻度を制御できる。
【０１２６】
上記実施の形態に係る通信端末１００によれば、例えばステップＳ１０５のデータ送受信処理の実行中に、ステップＳ１５６にて第１変更条件を満たすか否かを判定し、第１変更条件を満たすと判定した場合、ステップＳ１５８にてレイテンシオフ値を変更して、レイテンシオフ回数を減らす。また、ステップＳ１５７にて第２変更条件を満たすか否かを判定し、第２変更条件を満たすと判定した場合、ステップＳ１５９にてレイテンシオフ値を変更して、レイテンシオフ回数を増やす。従って、環境情報測定装置２００におけるデータの受信頻度を上げたり下げたりできる。
【０１２７】
上記実施の形態に係る無線通信システム１によれば、通信端末１００は、コネクション・イベント・インターバルの期間の間隔で間欠的にデータ送信を繰り返し実行する。通信端末１００が送信するデータには、レイテンシオフ回数を示すレイテンシオフ値が含まれている。環境情報測定装置２００は、例えば図１２に示すようにステップＳ２５８又はステップＳ２６２においてレイテンシオフカウンタ値をレイテンシオフカウンタに設定することによってレイテンシオフ回数を設定する。ステップＳ２５２にてレイテンシカウンタ値が「０」でないと判定された場合であっても、ステップＳ２５４にてレイテンシオフカウンタ値が「０」であると判定された場合、通信端末１００からのデータを受信する。即ち、スレーブレイテンシ動作においてデータの受信を制限しているときであっても、通信端末１００が送信するデータに含まれるレイテンシオフ値に基づいて、データの受信制限を解除し、通信端末１００からのデータを受信する。このように環境情報測定装置２００は、通信端末１００によって間欠的に送信されたデータの受信を制限した回数が、受信したデータに含まれるレイテンシオフ値が示すレイテンシオフ回数に到達した場合、データの受信の制限を解除する。従って、通信端末１００が環境情報測定装置２００との間でデータ送受信を行いつつ、環境情報測定装置２００におけるデータの受信を制御でき、環境情報測定装置２００におけるデータの受信が通信端末１００によって制御されるため、通信端末１００のレスポンス速度が制限されてしまうことを防止できる。
【０１２８】
以上、本発明の実施の形態について説明したが、本発明は上記の実施の形態によって限定されるものではない。
【０１２９】
上記実施の形態では、無線通信システム１を、マスター装置としての通信端末１００と、スレーブ装置としての環境情報測定装置２００とで構成した。しかし、無線通信システム１は、通信端末１００と環境情報測定装置２００とから構成されるものに限られない。例えば、不正侵入を検知するセンサを備える警報装置をスレーブ装置とし、この警報装置と通信端末１００とによって無線通信システム１を構成してもよい。また、例えば、花粉量を測定するセンサを備える花粉測定装置をスレーブ装置とし、この花粉測定装置と通信端末１００とによって無線通信システム１を構成してもよい。
【０１３０】
上記実施の形態では、スマートフォンをマスター装置としたが、マスター装置となる無線通信装置はスマートフォンに限られない。例えば、ＢＬＥに基づく無線通信が可能な腕時計などをマスター装置とし、メール受信機能を有するスマートフォンや携帯電話などをスレーブ装置としてもよい。このような構成によれば、例えばスマートフォンなどがメールを受信したときに、メールの受信があったことを腕時計などに表示させることができる。
【０１３１】
上記実施の形態では、ステップＳ２６３において、ペイロード部のデータ値を読み取り、そのデータ値が、例えば「０」といった空であることを示すデータ値である場合に、データの送信条件を満たさないと判定した。しかし、データの送信条件を満たすか否かの判定は、上記方法に限定されない。例えば、データのヘッダ部３０１のフィールド３１２（Length）に格納されているデータ値を読み取り、そのデータ値が、例えば「０」といった、ペイロード部３０２に格納されるデータ値のビット長を示すデータ値である場合に、データの送信条件を満たさないと判定してもよい。
【０１３２】
上記実施の形態では、レイテンシオフ値をヘッダ部３０１のフィールド３１１（RFU-1）に格納したが、レイテンシオフ値の格納場所はヘッダ部３０１に限定されない。例えば、レイテンシオフ値をペイロード部３０２の所定領域に格納してもよい。
【０１３３】
上記実施の形態では、レイテンシカウンタに記憶されたレイテンシカウンタ値及びレイテンシオフカウンタに記憶されたレイテンシオフカウンタ値を、コネクション・イベントのタイミングとなる毎にデクリメント（１減算）していき、通信端末１００によって送信されたデータの送信回数を判定した。しかし、通信端末１００によって送信されたデータの送信回数を判定する方法は上記方法に限定されない。例えば、レイテンシカウンタに記憶されたレイテンシカウンタ値及びレイテンシオフカウンタに記憶されたレイテンシオフカウンタ値を、コネクション・イベントのタイミングとなる毎にインクリメント（１加算）していくことで、通信端末１００によって送信されたデータの送信回数を判定してもよい。
【０１３４】
また、本発明に係る通信端末１００及び環境情報測定装置２００は、専用の装置によらず、通常のコンピュータシステムを用いて実現可能である。例えば、コンピュータがプログラムを実行することで、通信端末１００の機能及び環境情報測定装置２００の機能を実現してもよい。通信端末１００の機能及び環境情報測定装置２００の機能を実現するためのプログラムは、ＵＳＢ（Universal Serial Bus）メモリ、ＳＤ（Secure Digital）メモリカード、ＣＤ−ＲＯＭ（Compact Disc Read Only Memory）、ＤＶＤ（Digital Versatile Disc）、ＢＤ（Blu-ray（登録商標） Disc）、ＨＤＤ（Hard Disk Drive）等のコンピュータ読み取り可能な記録媒体に記憶されてもよいし、ネットワークを介してコンピュータにダウンロードされてもよい。
【０１３５】
以上、本発明の好ましい実施形態について説明したが、本発明は係る特定の実施形態に限定されるものではなく、本発明には、特許請求の範囲に記載された発明とその均等の範囲が含まれる。以下に、本願出願の当初の特許請求の範囲に記載された発明を付記する。
【０１３６】
（付記１）
通信相手の無線通信装置と無線通信を行う無線通信装置であって、
前記通信相手の無線通信装置によって間欠的に送信されるデータを受信するデータ受信手段と、
前記データ受信手段によって受信された前記データに基づいて、前記通信相手の無線通信装置にデータを送信するデータ送信手段と、
前記通信相手の無線通信装置によって間欠的に送信されたデータの送信回数が、データの受信を制限する制限回数に到達するまで、前記データ受信手段によるデータの受信を制限する受信制限手段と、
前記データ受信手段によって受信された前記データに含まれる特定情報が示す、前記制限回数よりも少ない特定回数を設定する設定手段と、
前記通信相手の無線通信装置によって間欠的に送信されたデータの送信回数が、前記特定回数に到達した場合、前記受信制限手段による制限を解除する制限解除手段と、
を備えることを特徴とする無線通信装置。
【０１３７】
（付記２）
前記制限解除手段によって前記受信制限手段による制限が解除された後に、前記データ受信手段によって受信されたデータに基づいて、前記通信相手の無線通信装置にデータを送信するためのデータ送信条件を満たすか否かを判定する送信条件判定手段をさらに備え、
前記データ送信手段は、前記送信条件判定手段によって前記データ送信条件を満たすと判定された場合、前記通信相手の無線通信装置にデータを送信する、
ことを特徴とする付記１に記載の無線通信装置。
【０１３８】
（付記３）
通信相手の無線通信装置と無線通信を行う無線通信装置であって、
制限回数よりも少ない特定回数を示す特定情報を含むデータを前記通信相手の無線通信装置に間欠的に送信するデータ送信手段を備え、
前記制限回数は、前記通信相手の無線通信装置が、前記データ送信手段によって間欠的に送信されたデータの受信を制限する回数であり、
前記通信相手の無線通信装置は、前記データ送信手段によって間欠的に送信されたデータの受信を制限した回数が、受信した前記データに含まれる特定情報が示す特定回数に到達した場合、前記データの受信の制限を解除する、
ことを特徴とする無線通信装置。
【０１３９】
（付記４）
前記データ送信手段によって前記データが間欠的に送信されているときに、前記特定回数を変更する変更条件を満たすか否かを判定する変更条件判定手段と、
前記変更条件判定手段によって前記変更条件を満たすと判定された場合、前記特定情報を、所定数変更した後の特定回数を示す特定情報に変更する変更手段と、をさらに備え、
前記データ送信手段は、前記変更手段によって変更された前記特定情報を含むデータを送信する、
ことを特徴とする付記３に記載の無線通信装置。
【０１４０】
（付記５）
前記変更条件判定手段は、
前記変更条件として前記特定回数を減らす第１変更条件を満たすか否かを判定する第１変更条件判定手段と、
前記変更条件として前記特定回数を増やす第２変更条件を満たすか否かを判定する第２変更条件判定手段と、を含み、
前記変更手段は、前記第１変更条件判定手段によって前記第１変更条件を満たすと判定された場合、前記特定情報を、所定数減らした後の特定回数を示す特定情報に変更し、前記第２変更条件判定手段によって前記第２変更条件を満たすと判定された場合、前記特定情報を、所定数増やした後の特定回数を示す特定情報に変更する、
ことを特徴とする付記４に記載の無線通信装置。
【０１４１】
（付記６）
通信相手の無線通信装置と無線通信を行う無線通信装置であって、
前記通信相手の無線通信装置との送受信の不必要を設定する送受信不必要設定手段と、
前記通信相手の無線通信装置から、送受信の不必要時における受信を制御する情報を受信する受信制御情報受信手段と、
前記送受信の不必要時における受信を制御する情報に基づいて、前記通信相手の無線通信装置からのデータの受信を制御する受信制御手段と、
を備えることを特徴とする無線通信装置。
【０１４２】
（付記７）
通信相手の無線通信装置と無線通信を行う無線通信装置であって、
前記通信相手の無線通信装置に対して送受信の不必要を指定する送受信不必要指定手段と、
前記通信相手の無線通信装置に、送受信の不必要時における受信を制御する情報を送信する受信制御情報送信手段と、
を備えることを特徴とする無線通信装置。
【０１４３】
（付記８）
第１の無線通信装置と、当該第１の無線通信装置と無線通信を行う第２の無線通信装置と、から構成される無線通信システムであって、
前記第１の無線通信装置は、
前記第２の無線通信装置によって間欠的に送信されるデータを受信するデータ受信手段と、
前記データ受信手段によって受信された前記データに基づいて、前記第２の無線通信装置にデータを送信する第１のデータ送信手段と、
前記第２の無線通信装置によって間欠的に送信されたデータの送信回数が、データの受信を制限する制限回数に到達するまで、前記データ受信手段によるデータの受信を制限する受信制限手段と、
前記データ受信手段によって受信された前記データに含まれる特定情報が示す、前記制限回数よりも少ない特定回数を設定する設定手段と、
前記第２の無線通信装置によって間欠的に送信されたデータの送信回数が、前記特定回数に到達した場合、前記受信制限手段による制限を解除する制限解除手段と、を備え
前記第２の無線通信装置は、
前記特定情報を含むデータを前記第１の無線通信装置に間欠的に送信する第２のデータ送信手段を備える、
ことを特徴とする無線通信システム。
【０１４４】
（付記９）
通信相手の無線通信装置と無線通信を行う無線通信方法であって、
前記通信相手の無線通信装置によって間欠的に送信されるデータを受信するデータ受信ステップと、
前記データ受信ステップで受信された前記データに基づいて、前記通信相手の無線通信装置にデータを送信するデータ送信ステップと、
前記通信相手の無線通信装置によって間欠的に送信されたデータの送信回数が、データの受信を制限する制限回数に到達するまで、前記データ受信ステップでのデータの受信を制限する受信制限ステップと、
前記データ受信ステップで受信された前記データに含まれる特定情報が示す、前記制限回数よりも少ない特定回数を設定する設定ステップと、
前記通信相手の無線通信装置によって間欠的に送信されたデータの送信回数が、前記特定回数に到達した場合、前記受信制限ステップでの制限を解除する制限解除ステップと、
を含むことを特徴とする無線通信方法。
【０１４５】
（付記１０）
通信相手の無線通信装置と無線通信を行う無線通信方法であって、
制限回数よりも少ない特定回数を示す特定情報を含むデータを前記通信相手の無線通信装置に間欠的に送信するデータ送信ステップを含み、
前記制限回数は、前記通信相手の無線通信装置が、前記データ送信ステップで間欠的に送信されたデータの受信を制限する回数であり、
前記通信相手の無線通信装置は、前記データ送信ステップで間欠的に送信されたデータの受信を制限した回数が、受信した前記データに含まれる特定情報が示す特定回数に到達した場合、前記データの受信の制限を解除する、
ことを特徴とする無線通信方法。
【０１４６】
（付記１１）
通信相手の無線通信装置と無線通信を行う無線通信方法であって、
前記通信相手の無線通信装置との送受信の不必要を設定する送受信不必要設定ステップと、
前記通信相手の無線通信装置から、送受信の不必要時における受信を制御する情報を受信する受信制御情報受信ステップと、
前記送受信の不必要時における受信を制御する情報に基づいて、前記通信相手の無線通信装置からのデータの受信を制御する受信制御ステップと、
を含むことを特徴とする無線通信方法。
【０１４７】
（付記１２）
通信相手の無線通信装置と無線通信を行う無線通信方法であって、
前記通信相手の無線通信装置に対して送受信の不必要を指定する送受信不必要指定ステップと、
前記通信相手の無線通信装置に、送受信の不必要時における受信を制御する情報を送信する受信制御情報送信ステップと、
を含むことを特徴とする無線通信方法。
【０１４８】
（付記１３）
通信相手の無線通信装置と無線通信を行うコンピュータを、
前記通信相手の無線通信装置によって間欠的に送信されるデータを受信するデータ受信手段、
前記データ受信手段によって受信された前記データに基づいて、前記通信相手の無線通信装置にデータを送信するデータ送信手段、
前記通信相手の無線通信装置によって間欠的に送信されたデータの送信回数が、データの受信を制限する制限回数に到達するまで、前記データ受信手段によるデータの受信を制限する受信制限手段、
前記データ受信手段によって受信された前記データに含まれる特定情報が示す、前記制限回数よりも少ない特定回数を設定する設定手段、
前記通信相手の無線通信装置によって間欠的に送信されたデータの送信回数が、前記特定回数に到達した場合、前記受信制限手段による制限を解除する制限解除手段、
として機能させることを特徴とするプログラム。
【０１４９】
（付記１４）
通信相手の無線通信装置と無線通信を行うコンピュータを、
制限回数よりも少ない特定回数を示す特定情報を含むデータを前記通信相手の無線通信装置に間欠的に送信するデータ送信手段、として機能させ、
前記制限回数は、前記通信相手の無線通信装置が、前記データ送信手段によって間欠的に送信されたデータの受信を制限する回数であり、
前記通信相手の無線通信装置は、前記データ送信手段によって間欠的に送信されたデータの受信を制限した回数が、受信した前記データに含まれる特定情報が示す特定回数に到達した場合、前記データの受信の制限を解除する、
ことを特徴とするプログラム。
【０１５０】
（付記１５）
通信相手の無線通信装置と無線通信を行うコンピュータを、
前記通信相手の無線通信装置との送受信の不必要を設定する送受信不必要設定手段、
前記通信相手の無線通信装置から、送受信の不必要時における受信を制御する情報を受信する受信制御情報受信手段、
前記送受信の不必要時における受信を制御する情報に基づいて、前記通信相手の無線通信装置からのデータの受信を制御する受信制御手段、
として機能させることを特徴とするプログラム。
【０１５１】
（付記１６）
通信相手の無線通信装置と無線通信を行うコンピュータを、
前記通信相手の無線通信装置に対して送受信の不必要を指定する送受信不必要指定手段、
前記通信相手の無線通信装置に、送受信の不必要時における受信を制御する情報を送信する受信制御情報送信手段、
として機能させることを特徴とするプログラム。
【０１５２】
（付記１７）
マスター装置と無線通信を行うスレーブ装置であって、
前記マスター装置によって間欠的に送信されるデータを受信するデータ受信手段と、
前記データ受信手段によって受信された前記データに基づいて、前記マスター装置にデータを送信するデータ送信手段と、
前記マスター装置によって間欠的に送信されたデータの送信回数が、データの受信を制限する制限回数に到達するまで、前記データ受信手段によるデータの受信を制限する受信制限手段と、
前記データ受信手段によって受信された前記データに含まれる特定情報が示す、前記制限回数よりも少ない特定回数を設定する設定手段と、
前記マスター装置によって間欠的に送信されたデータの送信回数が、前記特定回数に到達した場合、前記受信制限手段による制限を解除する制限解除手段と、
を備えることを特徴とするスレーブ装置。
【０１５３】
（付記１８）
マスター装置と無線通信を行うスレーブ装置であって、
前記マスター装置とのレイテンシを設定するレイテンシ設定手段と、
前記マスター装置から、レイテンシ時における受信を制御する情報を受信する受信制御情報受信手段と、
前記レイテンシ時における受信を制御する情報に基づいて、前記マスター装置からのデータの受信を制御する受信制御手段と、
を備えることを特徴とするスレーブ装置。
【０１５４】
（付記１９）
スレーブ装置と無線通信を行うマスター装置であって、
制限回数よりも少ない特定回数を示す特定情報を含むデータを前記スレーブ装置に間欠的に送信するデータ送信手段を備え、
前記制限回数は、前記スレーブ装置が、前記データ送信手段によって間欠的に送信されたデータの受信を制限する回数であり、
前記スレーブ装置は、前記データ送信手段によって間欠的に送信されたデータの受信を制限した回数が、受信した前記データに含まれる特定情報が示す特定回数に到達した場合、前記データの受信の制限を解除する、
ことを特徴とするマスター装置。
【０１５５】
（付記２０）
スレーブ装置と無線通信を行うマスター装置であって、
前記スレーブ装置に対してレイテンシを指定するレイテンシ指定手段と、
前記スレーブ装置に、レイテンシ時における受信を制御する情報を送信する受信制御情報送信手段と、
を備えることを特徴とするマスター装置。
【符号の説明】
【０１５６】
１…無線通信システム、１００…通信端末（第２の無線通信装置）、１０２…制御部、１０４…ＲＯＭ、１０６…ＲＡＭ、１１０…無線通信動作部、１１２…アンテナ、１２４…スピーカ、１２６…ドライバ、１２８…表示部、１３０…タッチパネル、１５１…データ送信部（第２のデータ送信部）、１５２…第１変更条件判定部、１５３…第２変更条件判定部、１５４…変更部、２００…環境情報測定装置（第１の無線通信装置）、２０２…制御部、２０４…ＲＯＭ、２０６…ＲＡＭ、２１０…無線通信動作部、２１２…アンテナ、２２０…操作部、２２６…ドライバ、２２８…表示部、２３０…センサ部、２５１…データ受信部、２５２…データ送信部（第１のデータ送信部）、２５３…受信制限部、２５４…設定部、２５５…制限解除部、２５６…送信条件判定部、３０１…ヘッダ部、３０２…ペイロード部、３１１…フィールド、３１２…フィールド
【図１】
2015180009.tif 000003
【図２】
2015180009.tif 000004
【図３】
2015180009.tif 000005
【図４】
2015180009.tif 000006
【図５】
2015180009.tif 000007
【図６】
2015180009.tif 000008
【図７】
2015180009.tif 000009
【図８】
2015180009.tif 000010
【図９】
2015180009.tif 000011
【図１０】
2015180009.tif 000012
【図１１】
2015180009.tif 000013
【図１２】
2015180009.tif 000014
【図１３】
2015180009.tif 000015
【図１４】
2015180009.tif 000016